【事件の表示】
　特願２００２−　７９０３５「ファイル」拒絶査定不服審判事件〔平成１５年　９月３０日出願公開、特開２００３−２７６３７３〕について、次のとおり審決する。
【結　論】
　本件審判の請求は、成り立たない。
【理　由】
第１．手続の経緯
　
　本願は、平成１４年３月２０日の出願であって、平成１８年３月３０日付けで拒絶査定がなされ、これに対し、同年５月１１日付けで拒絶査定に対する審判請求がなされるとともに、同年５月１２日付けで明細書についての手続補正がなされた。
　そこで、当審においてこれを審理した結果、平成１９年９月１３日付けで、平成１８年５月１２日付けの明細書についての手続補正を却下するとともに、同日付で拒絶理由（以下、「当審拒絶理由」という。）を通知したところ、請求人は同年１１月２２日付けで意見書及び手続補正書を提出した。
　
第２．本願発明
　
　本願請求項１に係る発明（以下、「本願発明」という。）は、平成１９年１１月２２日付けの手続補正によって補正された請求項１に記載された事項により特定される次のものと認める。
「表表紙及び裏表紙を互いに分離させて、表表紙を綴じ元側に開口する袋状にするとともに、裏表紙の綴じ元側に前記開口内に挿入可能な延出部を設け、この延出部を開口内に挿入した状態で、表表紙と裏表紙の間に表出する延出部を背表紙とし、
　表表紙及び裏表紙の綴じ元側の内側に折り込んだ位置に綴じ片を形成し、裏表紙側の綴じ片に支持される共通の基端に２本の綴じ足を配し、表表紙側の綴じ片に、前記綴じ足の先端側を挿し通して折り曲げた状態に係止する綴じ足係止部を固定したものであって、
　前記裏表紙、綴じ足を配した綴じ片、及び延出部を一体に形成したものと、綴じ足係止部を固定した綴じ片及び袋状にした表表紙を一体に形成したものとの組み合わせにより構成されており、
　紙葉類を綴じ足に挿し通して裏表紙上にセットした状態で裏表紙を片手で押さえながら、表表紙の開口に延出部を呑み込ませつつ綴じ足係止部を紙葉類に接近させ、綴じ足係止部により紙葉類を止めることにより綴じ込み状態を実現できるようにしたとともに前記２本の綴じ足の共通の基端を裏表紙と裏表紙の綴じ片とで挟持し得るようにしたことを特徴とするファイル。」
　
第３．引用刊行物
　
（１）当審拒絶理由に引用され、本願出願前に頒布された刊行物である実願昭５０−１７１４４０号（実開昭５２−８２４２１号）のマイクロフィルム（以下、「刊行物１」という。）には、以下の記載が図示とともにある。
   ア．実用新案登録請求の範囲「内縁に折曲片（１）’（２）’を連設せる台版（１）、蓋版（２）を夫々構成し、この台版（１）に於ける折曲片（１）’に折曲自在な背版（３）の基端部（３）’を合掌せしめると共に当該合掌部に綴紐（４）（４）’を取付け、また蓋版（２）に於ける折曲片（２）’の外側に同綴紐（４）（４）’の係止体（５）を配装すると共に蓋版（２）の外面に背版（３）を抜挿自在に挿入する袋部（６）を設けて成るフアイル。」、
　イ．明細書第１頁１３行〜第２頁１行「本考案は紙葉等の綴込量の多寡に応じて背幅を自在に変更し得る新規なファイルを提供する」、
　ウ．明細書第２頁５〜１１行「台版（１）に於ける折曲片（１）’に二枚の熱可塑性軟質合成樹脂シート（８）（８）’を重合し且つ全周縁を相互に熔着して構成せる折曲自在な背版（３）の基端部（３）’を合掌せしめ且つ接着剤（９）を以て相互に固定すると共に当該合掌部に．．．綴紐（４）（４）’を取付け」
　エ．明細書第２頁１３行〜第３頁２行「蓋版（２）の外面に二枚重の熱可塑性軟質合成樹脂シート製覆版（１０）を重合して其の内縁を除いた三方縁を同台盤（１）の周縁に熔着して上記の背版（３）を抜挿自在に挿入する袋部（６）を設けたものである。」
　オ．第１図から、係止体（５）が、綴紐（４）（４）’の先端側を挿し通して折り曲げた状態に係止している点が看取できる。
　カ．第２図から、綴紐（４）の基端が、台版（１）とその折曲片（１）’とで挟持されている点が看取できる。
　キ．第２図から、台版（１）及び蓋版（２）の内縁に連設せる折曲片（１）’（２）’は内側に折り込んだ位置に形成されていることが看取できる。
　
  前記記載ア．によれば、台版（１）、蓋版（２）を夫々構成するから、台版（１）と蓋版（２）とは互いに分離しているといえる。
　前記記載ア．ウ．によれば、台版（１）は、内縁に折曲片（１）’を連設し、折曲片（１）’に背版（３）の基端部（３）’を合掌せしめ且つ接着剤（９）を以て相互に固定した合掌部に綴紐（４）（４）’を取付けたものであるから、台版１、綴紐（４）（４）’を取付けた折曲片１’及び背版３は一体に形成したものといえ、蓋版（２）は、内縁に折曲片（２）’を連設したものであるから、折曲片（２）’及び蓋版（２）は一体に形成したものといえる。
　前記記載エ．によれば、蓋版（２）の外面に設けた袋部（６）は、内縁側に開口している。
　　
　よって、上記記載及び図面を含む刊行物１全体の記載から、刊行物１には、「蓋版２及び台版１を互いに分離させて、蓋版２に内縁側に開口する袋部６を設けるとともに、台版１の内縁側に背版３の基端部３’を合掌せしめ、この背版３の基端部３’と反対側は、袋部６の開口内に抜挿自在で、背版３を開口内に挿入した状態で、蓋版２と台版１の間に表出する部分を背表紙とし、蓋版２及び台版１の内縁に連設した折曲片２’と折曲片１’は内側に折り込んだ位置に形成され、基端部３’を合掌せしめた折曲片１’に綴紐４、４’を取付け、蓋版２の折曲片２’に前記綴紐４、４’の先端側を挿し通して折り曲げた状態に係止する係止体５を配装したものであって、前記台版１、綴紐４、４’を取付けた折曲片１’及び背版３を一体に形成したものと、折曲片２’及び袋部６を設けた蓋版２を一体に形成したものとの組み合わせにより構成されており、綴紐４、４’の基端を台版１とその折曲片１’とで挟持し得るようにした紙葉等の綴込量の多寡に応じて背幅を自在に変更し得るファイル」の発明（以下、「刊行物１発明」という。）が開示されている。
　
（２）当審拒絶理由に引用され、本願出願前に頒布された刊行物である特開平７−２３７３８３号公報（以下、「刊行物２」という。）には、以下の記載が図示とともにある。
  ａ．段落【０００３】「うら表紙側折込み部Ｆ５には左右一対の綴り足４１がおもて表紙側折込み部Ｆ４に向かって設けられているとともに、おもて表紙側折込み部Ｆ４の表面には細長い平板状の綴り具１０が固定されている。」、
　ｂ．段落【００３０】「綴り足部材４は、綴り足４１と基板４２とから構成されているが、本発明の綴り足部材４は、上記実施例に示されている綴り足４１と基板４２とから構成される形状、構造に限定されるものではなく、綴り足部材４全体を細長い帯状のものにしたり紐状にしてもよい。また、特に基板４２を設けず、綴り足４１を直接うら表紙側折込み部Ｆ５に固定するようにしてもよい。」、
   ｃ．段落【００４５】〜【００４７】「図８は、本発明に係るファイルの第二の例を示す一部切欠き斜視図である。この例の場合は、うら表紙Ｆ３ｂが開口部から挿入される封筒状の袋表紙Ｆ６が別途用いられる。この袋表紙Ｆ６の開口部の一縁部にうら表紙側折込み部Ｆ５ｂが延設され、この表紙側折込み部Ｆ５ｂに綴り足４１を備えた綴り足部材４が付設されている。
　そして、うら表紙Ｆ３ｂが袋表紙に挿入された状態でおもて表紙Ｆ１と袋表紙Ｆ６との間に背表紙Ｆ２ｂが形成される。また、おもて表紙Ｆ１と背表紙Ｆ２との間に内側に向かって突出したおもて表紙側折込み部Ｆ４が設けられ、このおもて表紙側折込み部Ｆ４には綴り足４１を挿通させる通し孔が穿設されているとともに、上記折込み部Ｆ４の表面には上記通し孔に挿通された綴り足４１を係止する上記と同様の綴り具が付設されている。
　そして、うら表紙Ｆ３ｂの袋表紙Ｆ６への挿入量を調節することによって背表紙の幅を任意に設定することができるようになっている。」
　ｄ．段落【００４９】「上記実施例においては、レール部材２はおもて表紙側折込み部Ｆ４に固定されている」
　前記記載ｃ．「封筒状の袋表紙Ｆ６が別途用いられる。」及び図８から、ファイルは、「おもて表紙Ｆ１、おもて表紙側折込み部Ｆ４、背表紙Ｆ２ｂ、うら表紙Ｆ３ｂ、レール部材２」と、「袋表紙Ｆ６、うら表紙側折込み部Ｆ５ｂ、綴り足部材４」との組み合わせにより構成されていることが認められる。
　
第４．対比
　本願発明と刊行物１発明とを比較すると、
　１）刊行物１発明の「蓋版２」、「台版１」、「内縁側」、「袋部６を設けた蓋版２」、「背版３」、「綴紐４、４’」、「取付け」、「係止体５」は、それぞれ、 
 　本願発明の「表表紙」、「裏表紙」、「綴じ元側」、「袋状にする表表紙」、「延出部」、「２本の綴じ足」、「配し」、「綴じ足係止部」に相当する。 
　２）刊行物１発明の「基端部３’を合掌せしめた折曲片１’」及び「折曲片２’」は、本願発明の「裏表紙側の綴じ片」及び「表表紙側の綴じ片」に相当する。    
　３）刊行物１発明の「配装した」と、本願発明の「固定した」は「配した」点で共通する。
　　
　したがって、両者は、
 「表表紙及び裏表紙を互いに分離させて、表表紙を綴じ元側に開口する袋状にするとともに、裏表紙の綴じ元側に前記開口内に挿入可能な延出部を設け、この延出部を開口内に挿入した状態で、表表紙と裏表紙の間に表出する延出部を背表紙とし、 
　表表紙及び裏表紙の綴じ元側の内側に折り込んだ位置に綴じ片を形成し、裏表紙側の綴じ片に２本の綴じ足を配し、表表紙側の綴じ片に、前記綴じ足の先端側を挿し通して折り曲げた状態に係止する綴じ足係止部を配したものであって、
　前記裏表紙、綴じ足を配した綴じ片、及び延出部を一体に形成したものと、綴じ片及び袋状にした表表紙を一体に形成したものとの組み合わせにより構成されており、
　２本の綴じ足の基端を裏表紙と裏表紙の綴じ片とで挟持し得るようにしたファイル。」
の点で一致し、以下の点で相違している。
［相違点１］２本の綴じ足に関して、本願発明では、「裏表紙側の綴じ片に支持される共通の基端に２本の綴じ足を配し」との特定がなされているのに対し、刊行物１発明では、２本の綴じ足に相当する綴紐４，４の基端について前記特定がなされていない点、
［相違点２］本願発明では、「表表紙側の綴じ片に、．．．綴じ足係止部を固定した」と特定するとともに、「綴じ足係止部を固定した綴じ片及び袋状にした表表紙を一体に形成した」と特定されているのに対し、刊行物１発明では、綴じ足係止部に相当する係止体５を蓋版２の折曲片２’に配装したとされており、本願発明のような特定がない点、
［相違点３］本願発明では、「紙葉類を綴じ足に挿し通して裏表紙上にセットした状態で裏表紙を片手で押さえながら、表表紙の開口に延出部を呑み込ませつつ綴じ足係止部を紙葉類に接近させ、綴じ足係止部により紙葉類を止めることにより綴じ込み状態を実現できるようにした」と特定されているのに対して、刊行物１発明は、そのように特定されていない点、　
　            
第５．判断
　上記相違点１について検討する。
　２本の綴じ足を表紙の綴じ片に支持される共通の基端に配したものは、従来から周知である（上記刊行物２の記載ｂ．参照）から、刊行物１発明における２本の綴じ足に、上記周知技術を適用して、２本の綴じ足を綴じ片に支持される共通の基端に配することは当業者が容易になし得る程度のことである。
　上記相違点２について検討する。
　綴じ足係止部を、綴じ片に固定して配することは従来から周知である（上記刊行物２の記載ｄ．参照）から、刊行物１発明における綴じ足係止部を配するに際し、上記周知技術を採用することは当業者が容易になし得る程度のことである。そして、綴じ足係止部を固定すれば、「綴じ足係止部を固定した綴じ片及び袋状にした表表紙を一体に形成した」といえる。
　上記相違点３について検討する。
　紙葉類を綴じ足に挿し通して裏表紙上にセットした状態で裏表紙を片手で押さえながら、表表紙の開口に延出部を呑み込ませつつ綴じ足係止部を紙葉類に接近させ、綴じ足係止部により紙葉類を止めることにより綴じ込み状態を実現できるようにした」点は、ファイルに紙葉類を綴じ込むやり方を記載したものであって、「ファイル」の構造に係るものではなく、この綴じ込み方は、本願発明の他の構成を備えることで実現可能なものであるから、引用発明に相違点１、２に係る構成を適用したものにおいても、当然、同一の綴じ込み方が可能であるから、この点は、表現上の差異で実質的な相違点ではない。
　
　そして、相違点１乃至３に係る構成を含む本願発明の作用効果も、刊行物１、２記載の発明及び周知事項から当業者が予測できる範囲のものである。
　
第６．むすび
　以上のとおり、本願発明は、本願出願前に頒布された各刊行物１、２記載の発明及び周知事項に基づいて、当業者が容易に発明をすることができたものであるから、特許法第２９条第２項の規定により特許をうけることができない。
　したがって、本願のその余の請求項に係る発明について検討するまでもなく、本願は拒絶を免れない。
　よって、結論のとおり審決する。